(57)【要約】【課題】斜め方向に連なるフェンスと柱との連結を正確に且つ確実なものとする金具を提供する。【解決手段】フェンス装着可能な構造を備えると共に、フェンス装着時にフェンス上面又はフェンス下面に位置する連結板部を備えたフェンス側金具部２と、柱側面に固定する固定板部１２および固定板部と直交する連結板部１３を備えた柱側金具部１とで構成され、両金具部の連結板部２３，１３を重ね合せ、両板部を貫通する枢結軸３で連結し、特に連結板部の一部（連結箇所２３）をフェンス上面又は下面に密着させた際に、枢結軸端部がフェンス上面又は下面に食い込まないように連結箇所をフェンス上面又は下面から離れて設けた。【選択図】　図３
0003098539.tif 000002
【実用新案登録請求の範囲】
【請求項１】
フェンス装着可能な構造を備えると共に、フェンス装着時にフェンス上面又はフェンス下面に位置する連結板部を備えたフェンス側金具部と、柱側面に固定する固定板部及び固定板部と直交する連結板部を備えた柱側金具部とで構成され、両金具部の連結板部を重ね合せ、両連結板部を貫通する枢結軸で連結してなることを特徴とするフェンス用連結金具。
【請求項２】
フェンス側金具部の連結板部の一部をフェンス上面又は下面に密着させた際に、枢結軸端部がフェンス上面又は下面に食い込まないように連結箇所をフェンス上面又は下面から離れて設けた請求項１記載のフェンス用連結金具。
【請求項３】
フェンス側金具部に、連結板部の前後に金具部がフェンスの枠部を跨るように前後板部を設け、前記前後板部にフェンス固定構造を設けてなる請求項１又は２記載のフェンス用連結金具。
【請求項４】
フェンス固定構造並びに柱固定構造を、フェンス側金具部の前後板部もしくは連結板部並びに柱側金具部の固定板部に設けた釘孔としてなる請求項１乃至３記載のいずれかのフェンス用連結金具。
【考案の詳細な説明】
【０００１】
【産業上の利用分野】
本考案は、フェンスと柱とを連結するフェンス用連結金具に関するものである。
【０００２】
【従来の技術及び考案が解決しようとする課題】
例えば枠体内にラティス張りを施したりしたフェンスＡを設置しようとする場合には、一定の間隔で柱Ｂを立設し、柱Ｂ間にフェンスＡを連結するもので、例えば柱Ｂ側に固定する板部とフェンスＡ側に固定する板部を備えたＬ状金具（図７参照）０１を使用したり、連結を堅牢とするためにフェンスＡを抱持する前後板部を備えた金具（図６参照：意匠登録第１１２４４５６号公報）０２等が使用されている。
【０００３】
ところでフェンスの構築は必ずしも一直線に行われるものではなくコーナー部分においては、角柱の側面に対してフェンス枠の外周面が密着しないので、前記した金具０２は使用できない。
【０００４】
また図７で例示するとおり、従前のＬ状金具０１での連結は可能であるが、連結角度や金具の幅長さによって金具がはみ出したりしてしまい、外観上好ましくなく、且つ釘着箇所が限定されたりして強度的な問題も生ずる恐れがある。
【０００５】
また図８に例示するように蝶番金具０３を採用すると、任意角度方向の連結に対して対応できるが、蝶番軸の範囲でフェンスと柱の間に隙間Ｃができてしまう。
【０００６】
そこで本考案は、任意角度方向へのフェンスＡと柱Ｂの連結に際して両者の間に隙間が無く、且つ確実になされる新規なフェンス連結用金具を提案したものである。
【０００７】
【課題を解決するための手段】
本考案に係るフェンス連結用金具は、フェンス装着な可能な構造を備えると共に、フェンス装着時にフェンス上面又は下面に位置する連結板部を備えたフェンス側金具部と、柱側面に固定する固定板部および固定板部と直交する連結板部を備えた柱側金具部とで構成され、両金具部の連結板部を重ね合せ、両板部を貫通する枢結軸で連結してなることを特徴とするものである。
【０００８】
柱側金具部を柱側面に固定し、側縁を柱側面に密着した状態で適宜方向に配置したフェンスの枠上面に、枢結軸を中心に回動してフェンスの配置方向と一致させたフェンス側金具部を固定することで、柱とフェンスの連結がなされる。
【０００９】
【実施例】
次に本考案の実施例について説明する。実施例に示したフェンス用連結金具は、柱側金具部１とフェンス側金具部２とを備えてなり、両部を枢結軸３で枢結してなるものである。
【００１０】
柱側金具部１は、縦板と直交する横板を有するＬ状板で、縦板に釘孔１１を設けて柱側面に固定する固定板部１２とし、横板を枢結軸３で連結する連結板部１３としたものである。
【００１１】
フェンス側金具部２は、上面板部（連結板部）２１と前後板部２２を備えたコ状板で、上面板部（連結板部）２１と前後板部２２とでフェンスＡの上方枠部を跨るようにし、特に上面板部２１の一側は段差を介して上面板部２１より少し高くした連結板部（連結箇所）２３としたものである。また前後板部２２には固定用の釘孔２４を穿設してなる。
【００１２】
そして前記の柱側金具部１の連結板部１３とフェンス側金具部２の連結板部２３を重ね合せ、両板部を枢結軸３で貫通連結してなる。
【００１３】
前記金具は、図２に例示するように柱側金具部１の固定板部１２を柱Ｂの側面に釘着し、所望の方向に配置するフェンスの側縁を柱の側面に密着させ、当該状態でフェンスＡの枠上面に、上面板部（連結板部）２１と前後板部２２とを跨がせるようにし、更に釘孔２４を使用してフェンス側金具部２をフェンスＡに固定する。
【００１４】
特に前記の連結に際しては、図３に例示するとおり、連結箇所２３がフェンスＡ上面と当接する上面板部２１より高くなっているので、枢結軸３の頭部によって上面板部２１とフェンスＡ上面の密着が阻害されないので、金具とフェンスＡとの連結が堅牢に且つ正確になされる。
【００１５】
もちろん段差を有する連結板部２３を採用せずに、連結箇所に枢結軸の頭部収納凹部としても良い。また必要に応じて前後板部の一方又は双方を省略しても良い。
【００１６】
更に図５に例示するように、柱側金具部１ａをＬ状板とせずに、釘孔１１を設けた固定板部１２ａの両側に、柱Ｂの前後面に当接して柱に対して柱側金具部１ａの固定を確実なものとする前後板部１４を連設しても良い。
【００１７】
【考案の効果】
以上のように本考案は、フェンス装着可能な構造を備えると共に、フェンス装着時にフェンス上面又は下面に位置する連結板部を備えたフェンス側金具部と、柱側面に固定する固定板部および固定板部と直交する連結板部を備えた柱側金具部とで構成され、両金具部の連結板部を重ね合せ、両板部を貫通する枢結軸で連結してなるフェンス用連結金具で、柱から任意方向に配置連結するフェンスを、柱に対して側縁を密着した状態で各自に連結でき堅牢なフェンスを構築できるものである。
【図面の簡単な説明】
【図１】本考案の実施例の全体斜視図。
【図２】同使用状態の説明図（斜視図）。
【図３】同図（正面図）。
【図４】同図（平面図）。
【図５】同別例の斜視図。
【図６】従来例の説明図。
【図７】従来例の説明図。
【図８】従来例の説明図。
【符号の説明】
１，１ａ　　　柱側金具部
１１　　　　釘孔
１２，１２ａ　　固定板部
１３　　　　連結板部
１４　　　　前後板部
２　　　　　フェンス側金具部
２１　　　　上面板部（連結板部）
２２　　　　前後板部
２３　　　　連結板部（連結箇所）
２４　　　　釘孔
３　　　　　枢結軸
【図１】
0003098539.tif 000003
【図２】
0003098539.tif 000004
【図３】
0003098539.tif 000005
【図４】
0003098539.tif 000006
【図５】
0003098539.tif 000007
【図６】
0003098539.tif 000008
【図７】
0003098539.tif 000009
【図８】
0003098539.tif 000010